(57)【特許請求の範囲】
【請求項１】
枠体と、
前記枠体に、一の方向に引き出し可能に取り付けられた第１収納ケースと、
前記枠体の前記第１収納ケースが取り付けられた部位よりも下の部位に、前記一の方向に引き出し可能に取り付けられた支持部と、
前記支持部の底面に取り付けられた第１ストッパーペダルと、
前記枠体の上下方向に複数設けられた、パッチパネルを取り付け可能な複数のパッチパネル取付部と、
前記枠体の一の側面の内側に、前記一の側面に平行に設けられ、前記パッチパネルから前記第１収納ケースへのケーブルを前記一の側面に平行に保持する第１ケーブル保持板と
を備え、
前記第１ケーブル保持板は、前記パッチパネルを前記複数のパッチパネル取付部のうちの一のパッチパネル取付部から他のパッチパネル取付部に移動させた場合に、前記パッチパネルに取り付けられた前記ケーブルが、前記パッチパネルの移動に追随するように、前記ケーブルを保持する、ラック。
【請求項２】
前記枠体の底面に取り付けられた第２ストッパーペダル
をさらに備える、請求項１に記載のラック。
【請求項３】
複数の前記第１ストッパーペダルと、複数の前記第２ストッパーペダルとを備える、請求項２に記載のラック。
【請求項４】
前記枠体の前記第１収納ケースが取り付けられた部位よりも上の部位に、前記一の方向に引き出し可能に取り付けられた第２収納ケース
をさらに備え、
前記第２収納ケースは、前記一の方向への引き出し可能な幅が、前記第１収納ケースを前記一の方向に引き出し可能な幅よりも短い、請求項１から３のいずれか1項に記載のラック。
【請求項５】
前記枠体の前記第１収納ケースが取り付けられた部位よりも上の部位に、前記一の方向に引き出し可能に取り付けられた第２収納ケースと、
前記枠体の前記一の側面とは異なる他の側面の内側に、前記他の側面に平行に設けられ、前記複数のパッチパネル取付部のうちの他のパッチパネル取付部に取り付けられた前記パッチパネルから前記第２収納ケースへのケーブルを前記他の側面に平行に保持する第２ケーブル保持板と
をさらに備える、請求項１に記載のラック。
【請求項６】
前記枠体の底面に取り付けられた複数のキャスター
をさらに備える、請求項１から５のいずれか1項に記載のラック。
【請求項７】
前記支持部は、コの字形状を有するロックアームであり、
前記ラックは、
前記支持部の底面に取り付けられた２つの前記第１ストッパーペダル
を備える、請求項１から６のいずれか１項に記載のラック。
【請求項８】
枠体と、
前記枠体に取り付けられた収納ケースと、
前記枠体の上下方向に複数設けられ、前記枠体の前記収納ケースが取り付けられた部位よりも上の部位に配置された、パッチパネルを取り付け可能な複数のパッチパネル取付部と、
前記枠体の一の側面の内側に、前記一の側面に平行に設けられ、前記パッチパネルから前記収納ケースへのケーブルを前記一の側面に平行に保持するケーブル保持板と
を備え、
前記ケーブル保持板は、前記パッチパネルを前記複数のパッチパネル取付部のうちの一のパッチパネル取付部から他のパッチパネル取付部に移動させた場合に、前記パッチパネルに取り付けられた前記ケーブルが、前記パッチパネルの移動に追随するように、前記ケーブルを保持する、ラック。
【発明の詳細な説明】
【技術分野】
【０００１】
本発明は、ラックに関する。
【背景技術】
【０００２】
従来、複数のネットワーク機器を収納するラックが知られていた。（例えば、特許文献１参照）。
［先行技術文献］
［特許文献］
［特許文献１］特開２０１１−００３７４６号公報
【発明の概要】
【発明が解決しようとする課題】
【０００３】
ネットワーク機器等の重量が大きい機器を収納した場合に安定性が高いことに加えて、移動させる場合にコンパクトになるラックが望まれていた。
【課題を解決するための手段】
【０００４】
本発明の第１の態様においては、枠体と、枠体に、一の方向に引き出し可能に取り付けられた第１収納ケースと、枠体の第１収納ケースが取り付けられた部位よりも下の部位に、一の方向に引き出し可能に取り付けられた支持部と、支持部の底面に取り付けられた第１ストッパーペダルとを備えるラックが提供される。
【０００５】
上記ラックは、枠体の底面に取り付けられた第２ストッパーペダルをさらに備えてよい。上記ラックは、複数の第１ストッパーペダルと、複数の第２ストッパーペダルとを備えてよい。上記ラックは、枠体の第１収納ケースが取り付けられた部位よりも上の部位に、一の方向に引き出し可能に取り付けられた第２収納ケースをさらに備えてよく、第２収納ケースは、一の方向への引き出し可能な幅が、第１収納ケースを一の方向に引き出し可能な幅よりも短くてよい。
【０００６】
上記ラックは、枠体の上下方向に複数設けられた、パッチパネルを取り付け可能な複数のパッチパネル取付部と、枠体の側面の内側に、枠体の側面に平行に設けられ、パッチパネルから第１収納ケースへのケーブルを枠体の側面に平行に保持するケーブル保持板とをさらに備えてよい。上記ラックにおいて、ケーブル保持板は、パッチパネルを複数のパッチパネル取付部のうちの一のパッチパネル取付部から他のパッチパネル取付部に移動させた場合に、パッチパネルに取り付けられたケーブルが、パッチパネルの移動に追随するように、ケーブルを保持してよい。
【０００７】
上記ラックは、枠体の第１収納ケースが取り付けられた部位よりも上の部位に、一の方向に引き出し可能に取り付けられた第２収納ケースと、枠体の上下方向に複数配置された、パッチパネルを取り付け可能な複数のパッチパネル取付部と、枠体の一の側面の内側に、枠体の一の側面に平行に設けられ、複数のパッチパネル取付部のうちの一のパッチパネル取付部に取り付けられたパッチパネルから第１収納ケースへのケーブルを枠体の一の側面に平行に保持する第１ケーブル保持板と、枠体の一の側面とは異なる他の側面の内側に、他の側面に平行に設けられ、複数のパッチパネル取付部のうちの他のパッチパネル取付部に取り付けられたパッチパネルから第２収納ケースへのケーブルを他の側面に平行に保持する第２ケーブル保持板とをさらに備えてよい。上記ラックは、枠体の底面に取り付けられた複数のキャスターをさらに備えてよい。
【０００８】
本発明の第２の態様においては、枠体と、枠体に取り付けられた収納ケースと、枠体の収納ケースが取り付けられた部位よりも上の部位に配置された、パッチパネルを取り付け可能なパッチパネル取付部と、枠体の側面の内側に、枠体の側面と平行に設けられ、パッチパネルから収納ケースへのケーブルを枠体の側面に平行に保持するケーブル保持板とを備えるラックが提供される。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】ラック１００の正面図である。
【図２】ラック１００の背面図である。
【図３】ラック１００の側面図である。
【図４】ラック１００の底面図である。
【図５】ラック１００の斜視概略図である。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１から図４は、本実施形態に係るラック１００の一例を概略的に示す。図１は、ラック１００の正面図である。図２は、ラック１００の背面図である。図３は、ラック１００の側面図である。図４は、ラック１００の底面図である。
【００１３】
本実施形態に係るラック１００は、枠体１１２と、複数のパッチパネル取付部１１８と、収納ケース１２０と、収納ケース１３０と、ケーブル保持板１４０と、ロックアーム１５０と、ストッパーペダル１６２、１６４、１６６、１６８と、複数のキャスター１７０とを備える。枠体１１２は、柱部１１３、天井部１１４、底部１１５、及び側面部１１６を有する。
【００１４】
パッチパネル取付部１１８は、枠体１１２の正面側に設けられてよく、パッチパネル２００、３００を取り付け可能に構成されている。パッチパネルとは、ケーブル群を集線するために用いられるパネルであってよい。
【００１５】
パッチパネル取付部１１８は、例えば、柱部１１３に形成された雌ネジである。パッチパネル取付部１１８は、２つの柱部１１３のそれぞれに２つずつ形成された雌ネジであってよい。パッチパネル２００、３００は、４つの雄ネジによって、パッチパネル取付部１１８に取り付けられてよい。なお、パッチパネル取付部１１８は、パッチパネル２００、３００を取り付け可能であれば他の構成を有してもよい。
【００１６】
複数のパッチパネル取付部１１８が、枠体１１２の上下方向に設けられてよい。これにより、パッチパネル２００、３００を、枠体１１２の上下方向に移動させて枠体１１２に取り付けることができる。
【００１７】
パッチパネル２００及びパッチパネル３００は同一の構成を有してよい。パッチパネル２００は、正面コネクタ２０２、背面コネクタ２０４、及びケーブル台２０６を有してよい。パッチパネル３００は、正面コネクタ３０２、背面コネクタ３０４、及びケーブル台３０６を有してよい。ここでは、代表してパッチパネル２００について、その構造を説明する。
【００１８】
パッチパネル２００は、正面側に複数の正面コネクタ２０２を有する。図１では、４つの正面コネクタ２０２を６列有する場合を例示しているが、正面コネクタ２０２の数及び配置は他の数及び配置であってもよい。
【００１９】
また、パッチパネル２００は、背面側に複数の背面コネクタ２０４を有する。パッチパネル２００は、複数の正面コネクタ２０２と同数の背面コネクタ２０４を有してよい。複数の正面コネクタ２０２と複数の背面コネクタ２０４とは、それぞれ対応する位置に配置されていてよく、対応する位置の正面コネクタ２０２と背面コネクタ２０４とが接続されていてよい。
【００２０】
複数の正面コネクタ２０２のそれぞれには、不図示のケーブルが接続される。また、複数の背面コネクタ２０４のそれぞれには、複数のケーブル２５０のそれぞれが接続される。複数のケーブル２５０は、任意の数毎にまとめられていてよい。例えば、複数のケーブル２５０は、複数の背面コネクタ２０４に対応するべくまとめられてよい。
【００２１】
図２に示すように、パッチパネル２００が、４つの背面コネクタ２０４を６列有する場合には、複数のケーブル２５０は、４本ずつにまとめられてよい。４本のケーブル２５０は、例えば、両端のそれぞれが包装部材によって包装されることによりまとめられる。これにより、ユーザに、各列の背面コネクタ２０４に接続するべきケーブル２５０を、容易に判別させることができる。
【００２２】
複数の背面コネクタ２０４に接続された複数のケーブル２５０は、ケーブル台２０６の上に配置されてよい。これにより、複数のケーブル２５０が垂れ下がることを防止できる。
【００２３】
複数のケーブル２５０は、ケーブル束２５２を形成してよい。例えば、複数のケーブル２５０は、結束用のチューブによって束ねられることにより、ケーブル束２５２を形成する。複数のケーブル２５０を結束用のチューブによって束ねることにより、ある程度の自由度を保ちつつ、ケーブル２５０が過度に折れ曲がることを防止できる。これにより、例えば、ケーブル２５０が光ケーブルである場合に、光ケーブルが折れ曲がりによって破損してしまうことを防止できる。
【００２４】
ケーブル束２５２は、パッチパネル２００と収納ケース１２０との間の空間に配設されてよく、ケーブル束２５２の一部は、収納ケース１２０に収納されてよい。これにより、収納ケース１２０の大きさに応じた長さのケーブル束２５２を収納することができる。収納ケース１２０は、例えば、２０ｍのケーブル束２５２を収納可能な大きさであってよい。ユーザは、収納ケース１２０からケーブル束２５２を取り出して、不図示のネットワーク機器に複数のケーブル２５０を接続できる。
【００２５】
収納ケース１２０は、枠体１１２の背面方向１０２に引き出し可能に取り付けられる。枠体１１２の背面方向１０２は、一の方向の一例であってよい。収納ケース１２０は、穴部１２２、切欠き１２４、及びスライドレール１２６を有してよい。収納ケース１２０は、スライドレール１２６によって、枠体１１２の背面方向１０２に引き出し可能であってよい。
【００２６】
穴部１２２は、収納ケース１２０の背面側の面に設けられる。ユーザは、穴部１２２を把持して、収納ケース１２０を背面方向１０２に引き出してよい。切欠き１２４は、収納ケース１２０の背面側の面に設けられていてよい。ユーザは、切欠き１２４から、ケーブル束２５２を取り出してよい。
【００２７】
収納ケース１２０を背面方向１０２に引き出し可能とすることによって、ユーザによるケーブル束２５２の取り扱いを容易にさせることができる。しかし、その一方で、収納ケース１２０を背面方向１０２に引き出すことによって、ラック１００の重心が背面側にずれて不安定になる場合がある。
【００２８】
そこで、本実施形態に係るラック１００は、枠体１１２の収納ケース１２０が取り付けられた部位よりも下の部位に、背面方向１０２に引き出し可能に取り付けられたロックアーム１５０を備える。ロックアーム１５０を背面方向１０２に引き出すことによって、ラック１００全体を支持することができる。これにより、ラック１００の安定性を向上させることができ、また、ラック１００の転倒等を防止することができる。また、収納ケース１２０を引き出していない状態の場合には、ロックアーム１５０を引き出さないことによって、ラック１００全体の大きさをコンパクトにできる。ロックアーム１５０は、支持部の一例であってよい。収納ケース１２０は、第１収納ケースの一例であってよい。
【００２９】
ロックアーム１５０は、図４に示すように、把持部１５２を有してよく、全体としてコの字形状を有してよい。ユーザは、把持部１５２を把持することにより、ロックアーム１５０を引き出してよい。
【００３０】
ロックアーム１５０の底面には、図３及び図４に示すように、ストッパーペダル１６２、１６４が取り付けられてよい。ストッパーペダル１６２、１６４は、第１ストッパーペダルの一例であってよい。また、枠体１１２の底面には、ストッパーペダル１６６、１６８、及びキャスター１７０が取り付けられてよい。ストッパーペダル１６６、１６８は、第２ストッパーペダルの一例であってよい。ストッパーペダル１６２、１６４、１６６、１６８は、非ロック状態の場合、キャスター１７０によるラック１００の移動を妨げず、ロック状態の場合、キャスター１７０によるラック１００の移動を妨げる。
【００３１】
これにより、ストッパーペダル１６２、１６４、１６６、１６８を非ロック状態とすれば、ラック１００を自由に移動させることができ、ストッパーペダル１６２、１６４、１６６、１６８をロック状態とすることにより、ラック１００を固定できる。特に、ロックアーム１５０を引き出した状態で、ストッパーペダル１６２、１６４、１６６、１６８をロック状態にすることにより、収納ケース１２０を引き出した状態であっても、ラック１００の姿勢を安定させることができる。
【００３２】
なお、ラック１００は、ストッパーペダル１６２、１６４、１６６、１６８のうち、ストッパーペダル１６２のみを有してもよい。この場合、キャスター１７０及びストッパーペダル１６２によって、ラック１００全体が支持される。これにより、ストッパーペダルの数を減少させてコストを削減しつつ、ラック１００の姿勢を安定させることができる。ラック１００がストッパーペダル１６２のみを有する場合、ストッパーペダル１６２は、把持部１５２の中心位置に配置されることが望ましい。また、ラック１００は、ストッパーペダル１６２、１６４、１６６、１６８のうち、ストッパーペダル１６２及びストッパーペダル１６４のみを有してもよい。
【００３３】
収納ケース１３０は、枠体１１２の収納ケース１２０が取り付けられた部位よりも上の部位に、枠体１１２の背面方向１０２に引き出し可能に取り付けられる。収納ケース１３０は、穴部１３２、切欠き１３４、及びスライドレール１３６を有する。収納ケース１３０は、スライドレール１３６によって、枠体１１２の背面方向１０２に引き出し可能であってよい。
【００３４】
収納ケース１３０は、パッチパネル３００に接続された複数のケーブル３５０により形成されるケーブル束３５２を収納してよい。ケーブル束３５２は、パッチパネル３００と収納ケース１３０との間の空間に配設されてよく、ケーブル束３５２の一部は、収納ケース１３０に収納されてよい。
【００３５】
収納ケース１３０は、背面方向１０２への引き出し可能な幅が、収納ケース１２０を１０２に引き出し可能な幅よりも短くてよい。これにより、収納ケース１２０及び収納ケース１３０を最大限引き出した場合でも、ラック１００の重心が背面方向１０２にずれすぎてしまうことを防止でき、ラック１００の安定性を保つことができる。また、ユーザが収納ケース１２０からケーブル束２５２の取り出す動作を、収納ケース１３０によって妨害してしまうことを防止することができる。
【００３６】
穴部１３２は、収納ケース１３０の背面側の面に設けられる。ユーザは、穴部１３２を把持して、収納ケース１３０を背面方向１０２に引き出してよい。切欠き１３４は、収納ケース１３０の背面側の面に設けられていてよい。ユーザは、切欠き１３４から、ケーブル束２５２を取り出してよい。収納ケース１３０は第２収納ケースの一例であってよい。
【００３７】
ケーブル保持板１４０は、枠体１１２の一の側面部１１６の内側に、一の側面部１１６に平行に設けられてよい。そして、ケーブル保持板１４０は、パッチパネル２００から収納ケース１２０へのケーブル束２５２を、枠体１１２の一の側面部１１６に平行に保持してよい。これにより、ケーブル束２５２の移動範囲を、一の側面部１１６に平行な方向に制限することができ、ケーブル束２５２が過度に折れ曲がることを防止できる。また、ケーブル束２５２が予期しない方向に折れ曲がることを防止できる。
【００３８】
例えば、パッチパネル２００にケーブル２５０を取り付けたまま、パッチパネル２００を上下方向に移動させた場合、ケーブル束２５２は、パッチパネル２００によって引っ張られることになる。この場合、本実施形態に係るラック１００によれば、ケーブル保持板１４０がケーブル束２５２を保持していることによって、ケーブル束２５２の移動範囲を、一の側面部１１６に平行な方向に制限した状態で、パッチパネル２００の移動に追随させることができる。
【００３９】
これにより、パッチパネル２００の移動に伴ってケーブル束２５２に予期せぬ方向に引っ張られてしまうことによって、ケーブル束２５２を構成する複数のケーブル２５０が破損してしまうことを防止できる。特に、ケーブル束２５２を形成する複数のケーブル２５０が光ケーブルである場合に、光ケーブルを適切に保護できる。
【００４０】
ラック１００は、枠体１１２の一の側面部１１６とは異なる他の側面部１１６の内側に、ケーブル保持板１４０をさらに備えてよい。ケーブル保持板１４０は、他の側面部１１６に設けられてよい。そして、ケーブル保持板１４０は、パッチパネル３００から収納ケース１３０へのケーブル束３５２を、枠体１１２の他の側面部１１６に平行な方向に保持してよい。これにより、ケーブル束２５２及びケーブル束３５２を、それぞれ別の側面部１１６側で保持することができる。
【００４１】
図５は、ラック１００の斜視概略図である。図５は、ケーブル保持板１４０の構造の一例を説明するためにラック１００を概略的に示す。ケーブル保持板１４０は、枠体１１２の一の側面部１１６の内側に、一の側面部１１６に平行に設けられ、パッチパネル２００から収納ケース１２０へのケーブル束２５２を、一の側面部１１６に平行に保持する。
【００４２】
図５は、パッチパネル２００が下方に移動されたことによって、ケーブル束２５２が途中で折れ曲がっている場合について例示している。ここで、パッチパネル２００が上方に移動された場合、ケーブル束２５２は折れ曲がりが徐々に解除されて、上方に向けてのびていく。このように、ケーブル保持板１４０が、ケーブル束２５２を、側面部１１６に平行に保持することにより、ケーブル束２５２が予期せぬ位置に配設されてしまうことを防止できる。
【００４３】
なお、図５においては、ケーブル保持板１４０が、一の側面部１１６に備え付けられたＬ字形状を有する場合を例に挙げて説明したが、一の側面部１１６に平行に設けられれば、他の構造であってもよい。例えば、一の側面部１１６に平行なケーブル保持板１４０が、天井部１１４から垂直方向に設けられていてもよい。
【００４４】
本実施形態に係るラック１００は、ネットワーク基地局に設置された複数のネットワーク機器のいずれかが故障した場合の障害復旧に用いられてよい。例えば、従来のネットワーク基地局では、複数のネットワーク機器が複数の列に分けて配列され、列の隅又は列とは離れた場所等に、故障したネットワーク機器を代替する代替ネットワーク機器が配置される。そして、複数のネットワーク機器のいずれかが故障した場合、故障したネットワーク機器から配線を外して、代替ネットワーク機器に接続する作業が行われていた。
【００４５】
これに対して、本実施形態に係るラック１００を用いた障害復旧では、まず、故障したネットワーク機器の傍までラック１００が移動される。次に、故障したネットワーク機器の高さに合わせて、パッチパネル２００及びパッチパネル３００が枠体１１２の上下方向に移動される。
【００４６】
次に、故障したネットワーク機器に接続されたケーブルが取り外されて、複数の正面コネクタ２０２のそれぞれに接続される。次に、複数の背面コネクタ２０４のそれぞれに接続された複数のケーブル２５０により形成されたケーブル束２５２が、収納ケース１２０から取り出されて、代替ネットワーク機器まで運ばれて、代替ネットワーク機器に接続される。
【００４７】
このように、故障したネットワーク機器の傍に配置されたラック１００の複数の正面コネクタ２０２にケーブルを付け替える作業と、ケーブル束２５２を代替ネットワーク機器に接続する作業によって、障害を復旧させることができ、作業効率を向上させることができる。ここで、パッチパネル２００の複数の正面コネクタ２０２の配置は、ネットワーク機器のコネクタの配置と同じであってよい。これにより、ユーザは、複数の正面コネクタ２０２のそれぞれに接続された複数のケーブル２５０を、ネットワーク機器の対応するコネクタに容易に接続させることができる。
【００４８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４９】
特許請求の範囲、明細書、および図面中において示した装置、システム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。明細書中の動作フローに関して、便宜上「まず、」、「次に、」などを用いて説明したとしても、この順で実施することが必須であることを意味するものではない。
【符号の説明】
【００５０】
１００  ラック、１０２  背面方向、１１２  枠体、１１３  柱部、１１４  天井部、１１５  底部、１１６  側面部、１１８  パッチパネル取付部、１２０  収納ケース、１２２  穴部、１２４  切欠き、１２６  スライドレール、１３０  収納ケース、１３２  穴部、１３４  切欠き、１３６  スライドレール、１４０  ケーブル保持板、１５０  ロックアーム、１５２  把持部、１６２、１６４、１６６、１６８  ストッパーペダル、１７０  キャスター、２００  パッチパネル、２０２  正面コネクタ、２０４  背面コネクタ、２０６  ケーブル台、２５０  ケーブル、２５２  ケーブル束、３００  パッチパネル、３０２  正面コネクタ、３０４  背面コネクタ、３０６  ケーブル台、３５０  ケーブル、３５２  ケーブル束
【要約】
【課題】従来、複数のネットワーク機器を収納するラックが知られていたが、複数のネットワーク機器に接続するケーブルの扱いを容易にするラックが望まれていた。
【解決手段】枠体と、枠体に、一の方向に引き出し可能に取り付けられた第１収納ケースと、枠体の第１収納ケースが取り付けられた部位よりも下の部位に、一の方向に引き出し可能に取り付けられた支持部と、支持部の底面に取り付けられた第１ストッパーペダルとを備えるラックを提供する。
【選択図】図３【図１】
0005584330.tif 000002
【図２】
0005584330.tif 000003
【図３】
0005584330.tif 000004
【図４】
0005584330.tif 000005
【図５】
0005584330.tif 000006